(57)【要約】【課題】  機能を１タッチ操作によって選択させるオブジェクトであるのか又は２タッチ操作によって選択させるオブジェクトであるのかを識別し易くした携帯情報端末を提供する。【解決手段】  操作開始の検出結果に基づいてオブジェクトを選択するオブジェクト選択部１２と、第１オブジェクトが選択された場合に、選択中の第１オブジェクトを第１の表示態様でフォーカス表示し、第２オブジェクトが選択された場合に、選択中の第２オブジェクトを第２の表示態様でフォーカス表示するフォーカス表示部１３と、操作終了の検出結果に基づいてフォーカス表示中のオブジェクトに割り当てられている機能を選択する機能選択部１６により構成される。第１オブジェクトがフォーカス表示されている場合には、タッチ操作の終了によって機能が選択され、第２オブジェクトの場合には、フォーカス表示中の第２オブジェクトに対するタッチ操作の終了によって機能が選択される。【選択図】  図３
2010102607.tif 000002
【特許請求の範囲】
【請求項１】
２以上のオブジェクトが配列されたメニュー画面を表示し、上記メニュー画面に対するタッチ操作を検知して当該タッチ操作位置のオブジェクトをフォーカス表示する携帯情報端末において、
タッチ操作の操作開始及び操作終了を検出するタッチ操作検出手段と、
上記操作開始の検出結果に基づいて、上記メニュー画面内のオブジェクトを選択するオブジェクト選択手段と、
予め割り当てられた機能を１タッチ操作によって選択させる第１オブジェクトが選択された場合に、選択中の第１オブジェクトを第１の表示態様でフォーカス表示し、予め割り当てられた機能を２タッチ操作によって選択させる第２オブジェクトが選択された場合に、選択中の第２オブジェクトを第１の表示態様とは異なる第２の表示態様でフォーカス表示するフォーカス表示手段と、
上記操作終了の検出結果に基づいて、フォーカス表示中のオブジェクトに割り当てられている機能を選択する機能選択手段とを備え、
上記機能選択手段は、第１オブジェクトがフォーカス表示されている場合に、上記操作終了の検出結果に基づいてフォーカス表示中の第１オブジェクトに割り当てられている機能を選択し、第２オブジェクトがフォーカス表示されている場合に、フォーカス表示中の第２オブジェクトに対するタッチ操作の操作終了の検出結果に基づいて当該第２オブジェクトに割り当てられている機能を選択することを特徴とする携帯情報端末。
【請求項２】
上記フォーカス表示手段が、フォーカス表示中の第２オブジェクトに対するタッチ操作の操作開始の検出結果に基づいて、フォーカス表示を第１の表示態様に切り替えることを特徴とする請求項１に記載の携帯情報端末。
【請求項３】
タッチ操作中におけるタッチ操作位置の移動を検出する操作位置移動検出手段と、
上記タッチ操作位置の移動の検出結果に基づいて、上記メニュー画面をスクロールさせる画面スクロール手段とを備え、
フォーカス表示中の第２オブジェクトに対するタッチ操作中にメニュー画面がスクロールされた場合、上記フォーカス表示手段は、フォーカス表示を第３の表示態様に切り替え、上記機能選択手段は、当該タッチ操作を無視することを特徴とする請求項２に記載の携帯情報端末。
【請求項４】
上記フォーカス表示手段は、選択中の第２オブジェクトを１回目のタッチ操作の開始から一定時間が経過するまで第１の表示態様でフォーカス表示し、上記一定時間が経過した場合にフォーカス表示を第２の表示態様に切り替え、
上記機能選択手段は、上記一定時間が経過する前に１回目のタッチ操作の操作終了が検出された場合、当該操作終了の検出結果に基づいてフォーカス表示中の第２オブジェクトに割り当てられている機能を選択することを特徴とする請求項１に記載の携帯情報端末。
【請求項５】
第２オブジェクトに割り当てられたメイン機能及びサブ機能のうち、サブ機能を実行するサブ機能実行手段を備え、
上記機能選択手段は、第２オブジェクトがフォーカス表示されている場合に、フォーカス表示中の第２オブジェクトに対するタッチ操作の操作終了の検出結果に基づいて当該第２オブジェクトに割り当てられている上記メイン機能を選択し、
上記サブ機能実行手段は、第２オブジェクトがフォーカス表示されている場合に、実行キーの操作に基づいて、フォーカス表示中の第２オブジェクトに割り当てられている上記サブ機能を実行することを特徴とする請求項１に記載の携帯情報端末。
【請求項６】
上記機能選択手段によって選択された機能を実行し、フォーカス表示中のオブジェクトに予め関連付けられた画面に操作対象を切り替える機能実行手段を備えたことを特徴とする請求項１に記載の携帯情報端末。
【請求項７】
上記オブジェクトが選択されたことを音又は振動で報知する報知手段を備え、
上記報知手段は、第２オブジェクトが選択された場合に、第１オブジェクトとは異なる音又は振動で報知することを特徴とする請求項１に記載の携帯情報端末。
【請求項８】
上記報知手段は、フォーカス表示中の第２オブジェクトに対するタッチ操作の操作開始の検出結果に基づいて、音又は振動による報知態様を切り替えることを特徴とする請求項７に記載の携帯情報端末。
【発明の詳細な説明】
【技術分野】
【０００１】
本発明は、携帯情報端末に係り、さらに詳しくは、複数のオブジェクトが配列されたメニュー画面を表示し、このメニュー画面に対するタッチ操作を検知してタッチ操作位置のオブジェクトをフォーカス表示する携帯情報端末の改良に関する。
【背景技術】
【０００２】
表示面を指で触ることによってメニュー画面内のアイコンなどのオブジェクトを操作したり、メニュー画面をスクロールさせることができるタッチパネルを備えた携帯電話機が従来から知られている。この様なタッチパネル付きの携帯電話機では、メニュー画面内に表示されているオブジェクトを直接に「タッチ」することによって、オブジェクトを選択し、或いは、オブジェクトに割り当てられている機能を選択して、オブジェクトに予め関連付けられた画面に操作対象を切り替えることができる。
【０００３】
一般に、データフォルダの選択画面などで用いられるオブジェクトの場合、メイン機能として割り当てられている機能を選択実行して操作対象を切り替えるだけでなく、ファイルやフォルダを削除したり、オプションメニューを表示させるなどのサブ機能を実行させる場合がある。このため、オブジェクトを選択するためのタッチ操作と、選択中のオブジェクトに割り当てられている機能を選択するためのタッチ操作とを区別することが要求される。この様なオブジェクトの場合、１回目のタッチ操作を検知してフォーカス表示し、選択中のオブジェクトに対するタッチ操作、すなわち、同じオブジェクトに対する２回目のタッチ操作を検知して機能選択が行われる。
【０００４】
一方、機能設定の選択画面などで用いられるオブジェクトの場合には、１回のタッチ操作によってオブジェクトの選択と、選択されたオブジェクトに割り当てられている機能の選択とが行われる。上述した様な従来の携帯情報端末では、予め割り当てられた機能を１タッチ操作によって選択させるオブジェクトであるのか、或いは、２タッチ操作によって選択させるオブジェクトであるのかが、オブジェクトを見ただけでは見分けることができず、操作性が良くないという問題があった。
【０００５】
なお、特許文献１には、上位階層のオブジェクトと、このオブジェクトに関連付けられた下位階層のオブジェクトとを同一の配色とすることによって、オブジェクト間の従属関係を識別し易くする技術が開示されている。しかしながら、この特許文献１に記載の情報表示方法は、予め割り当てられた機能を１タッチ操作によって選択させるオブジェクトであるのか、或いは、２タッチ操作によって選択させるオブジェクトであるのかを見分け易くするものではない。
【特許文献１】特開２００２−４１２０５号公報
【発明の開示】
【発明が解決しようとする課題】
【０００６】
本発明は、上記事情に鑑みてなされたものであり、メニュー画面に対するタッチ操作を検知してタッチ操作位置のオブジェクトをフォーカス表示する携帯情報端末の操作性を向上させることを目的としている。特に、予め割り当てられた機能を１タッチ操作によって選択させるオブジェクトであるのか、或いは、２タッチ操作によって選択させるオブジェクトであるのかを識別し易くした携帯情報端末を提供することを目的としている。
【課題を解決するための手段】
【０００７】
第１の本発明による携帯情報端末は、２以上のオブジェクトが配列されたメニュー画面を表示し、上記メニュー画面に対するタッチ操作を検知して当該タッチ操作位置のオブジェクトをフォーカス表示する携帯情報端末であって、タッチ操作の操作開始及び操作終了を検出するタッチ操作検出手段と、上記操作開始の検出結果に基づいて、上記メニュー画面内のオブジェクトを選択するオブジェクト選択手段と、予め割り当てられた機能を１タッチ操作によって選択させる第１オブジェクトが選択された場合に、選択中の第１オブジェクトを第１の表示態様でフォーカス表示し、予め割り当てられた機能を２タッチ操作によって選択させる第２オブジェクトが選択された場合に、選択中の第２オブジェクトを第１の表示態様とは異なる第２の表示態様でフォーカス表示するフォーカス表示手段と、上記操作終了の検出結果に基づいて、フォーカス表示中のオブジェクトに割り当てられている機能を選択する機能選択手段とを備え、上記機能選択手段が、第１オブジェクトがフォーカス表示されている場合に、上記操作終了の検出結果に基づいてフォーカス表示中の第１オブジェクトに割り当てられている機能を選択し、第２オブジェクトがフォーカス表示されている場合に、フォーカス表示中の第２オブジェクトに対するタッチ操作の操作終了の検出結果に基づいて当該第２オブジェクトに割り当てられている機能を選択するように構成される。
【０００８】
この携帯情報端末では、予め割り当てられた機能を２タッチ操作によって選択させる第２オブジェクトが選択されている場合に、１タッチ操作によって選択させる第１オブジェクトとは異なる表示態様で選択中の第２オブジェクトがフォーカス表示される。そして、第１オブジェクトが選択されている場合には、タッチ操作の操作終了の検出結果に基づいてフォーカス表示中の第１オブジェクトに割り当てられている機能が選択されるのに対して、第２オブジェクトが選択されている場合には、フォーカス表示中の第２オブジェクトに対するタッチ操作の操作終了の検出結果に基づいて当該第２オブジェクトに割り当てられている機能が選択される。この様な構成によれば、選択されたオブジェクトが第１オブジェクトであるか、或いは、第２オブジェクトであるかに応じて表示態様を異ならせてフォーカス表示されるので、選択中のオブジェクトが予め割り当てられた機能を１タッチ操作によって選択させるオブジェクトであるのか、或いは、２タッチ操作によって選択させるオブジェクトであるのかを識別し易くすることができる。
【０００９】
第２の本発明による携帯情報端末は、上記構成に加え、上記フォーカス表示手段が、フォーカス表示中の第２オブジェクトに対するタッチ操作の操作開始の検出結果に基づいて、フォーカス表示を第１の表示態様に切り替えるように構成される。この様な構成によれば、フォーカス表示中の第２オブジェクトに対するタッチ操作の操作開始の検出結果に基づいてフォーカス表示が第１の表示態様に切り替えられるので、ユーザは、タッチ操作の終了によって第２オブジェクトに割り当てられている機能が選択されることを認識することができる。
【００１０】
第３の本発明による携帯情報端末は、上記構成に加え、タッチ操作中におけるタッチ操作位置の移動を検出する操作位置移動検出手段と、上記タッチ操作位置の移動の検出結果に基づいて、上記メニュー画面をスクロールさせる画面スクロール手段とを備え、フォーカス表示中の第２オブジェクトに対するタッチ操作中にメニュー画面がスクロールされた場合、上記フォーカス表示手段が、フォーカス表示を第３の表示態様に切り替え、上記機能選択手段が、当該タッチ操作を無視するように構成される。
【００１１】
この携帯情報端末では、フォーカス表示中の第２オブジェクトに対するタッチ操作中にメニュー画面がスクロールされた場合には、フォーカス表示が第３の表示態様に切り替えられ、当該タッチ操作が無視される。この様な構成によれば、フォーカス表示中の第２オブジェクトに対するタッチ操作中にタッチ操作位置を移動させた際、選択中の第２オブジェクトのフォーカス表示が第３の表示態様に切り替えられるので、ユーザは、第２オブジェクトに割り当てられている機能がタッチ操作の終了によっては選択されないことを認識することができる。
【００１２】
第４の本発明による携帯情報端末は、上記構成に加え、上記フォーカス表示手段が、選択中の第２オブジェクトを１回目のタッチ操作の開始から一定時間が経過するまで第１の表示態様でフォーカス表示し、上記一定時間が経過した場合にフォーカス表示を第２の表示態様に切り替え、上記機能選択手段が、上記一定時間が経過する前に１回目のタッチ操作の操作終了が検出された場合、当該操作終了の検出結果に基づいてフォーカス表示中の第２オブジェクトに割り当てられている機能を選択するように構成される。
【００１３】
この携帯情報端末では、第２オブジェクトに対する１回目のタッチ操作の開始から一定時間が経過するまでの期間、選択中の第２オブジェクトは第１の表示態様でフォーカス表示され、この期間中に１回目のタッチ操作の操作終了が検出されれば、当該操作終了の検出結果に基づいてフォーカス表示中の第２オブジェクトに割り当てられている機能が選択される。この様な構成によれば、ユーザは、第２オブジェクトに対する１回目のタッチ操作時に、操作終了によって第２オブジェクトに割り当てられている機能の選択可能な期間をフォーカス表示の表示態様によって認識することができる。
【００１４】
第５の本発明による携帯情報端末は、上記構成に加え、第２オブジェクトに割り当てられたメイン機能及びサブ機能のうち、サブ機能を実行するサブ機能実行手段を備え、上記機能選択手段が、第２オブジェクトがフォーカス表示されている場合に、フォーカス表示中の第２オブジェクトに対するタッチ操作の操作終了の検出結果に基づいて当該第２オブジェクトに割り当てられている上記メイン機能を選択し、上記サブ機能実行手段が、第２オブジェクトがフォーカス表示されている場合に、実行キーの操作に基づいて、フォーカス表示中の第２オブジェクトに割り当てられている上記サブ機能を実行するように構成される。
【００１５】
第６の本発明による携帯情報端末は、上記構成に加え、上記機能選択手段によって選択された機能を実行し、フォーカス表示中のオブジェクトに予め関連付けられた画面に操作対象を切り替える機能実行手段を備えて構成される。
【００１６】
第７の本発明による携帯情報端末は、上記構成に加え、上記オブジェクトが選択されたことを音又は振動で報知する報知手段を備え、上記報知手段が、第２オブジェクトが選択された場合に、第１オブジェクトとは異なる音又は振動で報知するように構成される。この様な構成によれば、選択されたオブジェクトが第１オブジェクトであるのか、或いは、第２オブジェクトであるのかを音又は振動によって識別することができる。
【００１７】
第８の本発明による携帯情報端末は、上記構成に加え、上記報知手段が、フォーカス表示中の第２オブジェクトに対するタッチ操作の操作開始の検出結果に基づいて、音又は振動による報知態様を切り替えるように構成される。この様な構成によれば、フォーカス表示中の第２オブジェクトに対するタッチ操作の操作開始の検出結果に基づいて音又は振動による報知態様が切り替えられるので、ユーザは、タッチ操作の終了によって第２オブジェクトに割り当てられている機能が選択されることを認識することができる。
【発明の効果】
【００１８】
本発明による携帯情報端末によれば、選択されたオブジェクトが第１オブジェクトであるか、或いは、第２オブジェクトであるかに応じて表示態様を異ならせてフォーカス表示されるので、選択中のオブジェクトが予め割り当てられた機能を１タッチ操作によって選択させる第１オブジェクトであるのか、或いは、２タッチ操作によって選択させる第２オブジェクトであるのかを識別し易くすることができる。従って、メニュー画面に対するタッチ操作を検知してタッチ操作位置のオブジェクトをフォーカス表示する携帯情報端末の操作性を向上させることができる。
【発明を実施するための最良の形態】
【００１９】
実施の形態１．
図１（ａ）及び（ｂ）は、本発明の実施の形態１による携帯情報端末の概略構成の一例を示した図であり、携帯情報端末の一例としてスライド式の携帯電話機１が示されている。図１（ａ）は、正面図であり、図１（ｂ）は、側面図である。この携帯電話機１は、表示面２ａを有する薄型の表示筐体２と、複数の操作キーが配列された操作パネル３ａを有する薄型の操作筐体３と、表示筐体２及び操作筐体３をスライド可能に連結する連結機構（図示せず）とからなる。
【００２０】
表示面２ａは、表示筐体２の一主面に形成され、指で触ることによってメニュー画面内のオブジェクトを操作したり、メニュー画面をスクロールさせることができるタッチパネルとなっている。ここでは、表示面２ａが、上下方向に長い縦長の矩形形状の表示領域を有し、メニュー画面はその表示領域内に表示されるものとする。また、ここでいうオブジェクトには、記号化された図形や絵文字などのグラフィカルな選択要素、例えば、アイコンと、文字列などのグラフィカルでない選択要素とが含まれるものとする。
【００２１】
タッチパネルは、指を近付けた際の静電容量の変化に基づいて、タッチ操作を検出するタッチ操作検出手段である。操作パネル３ａ上の操作キーは、接点開閉式スイッチによって構成される入力装置である。
【００２２】
両筐体は、その長手方向、すなわち、上下方向にスライド可能となっており、操作パネル３ａを露出させたオープン状態と、表示筐体２を操作筐体３側へスライドさせて操作パネル３ａを収納させたクローズ状態とが遷移可能となっている。
【００２３】
この携帯電話機１では、複数のオブジェクトが配列されたメニュー画面を表示面２ａに表示し、メニュー画面に対するタッチ操作を検知して当該タッチ操作位置のオブジェクトをフォーカス表示する動作が行われる。
【００２４】
図２は、図１の携帯電話機１の構成例を示したブロック図であり、携帯電話機１内の機能構成の一例が示されている。この携帯電話機１は、タッチパネル１１、オブジェクト選択部１２、フォーカス表示部１３、メニュー画面表示部１４、ＬＣＤ１５、機能選択部１６、メイン機能実行部１７、操作位置移動検出部１８、画面スクロール部１９及びサブ機能実行部２０により構成される。
【００２５】
タッチパネル１１は、ユーザが操作することによって電極の静電容量が変化する現象を利用して表示面２ａに対するタッチ操作を検知し、タッチ操作の操作開始及び操作終了を検出するタッチ操作検出手段である。具体的には、タッチ操作の操作開始のタイミング及び位置と、操作終了のタイミング及び位置が検出される。
【００２６】
メニュー画面表示部１４は、ＬＣＤ（Liquid Crystal Display：液晶ディスプレイ）１５を制御し、複数のオブジェクトが配列されたメニュー画面を表示面２ａの表示領域内に表示する動作を行っている。
【００２７】
オブジェクト選択部１２は、タッチパネル１１による操作開始の検出結果に基づいて、メニュー画面内のオブジェクトを選択する動作を行っている。具体的には、タッチ操作の操作開始時におけるタッチパネル１１上の操作位置に表示されているオブジェクトが選択される。
【００２８】
ここで、タッチパネル１１上の操作位置とは、指をタッチパネル１１に接触させた際の接触位置のことであり、接触状態を保持したまま操作位置が変化すれば、操作位置が移動したと判断される。ここでいう接触状態には、指及びタッチパネル１１が実際に当接している場合だけでなく、指がタッチパネル１１から僅かに離れている場合が含まれるものとする。
【００２９】
フォーカス表示部１３は、ＬＣＤ１５を制御し、第１オブジェクトがタッチ操作や方向キーの操作などによって選択された場合に、選択中の第１オブジェクトを第１の表示態様でフォーカス表示する動作を行っている。また、第２オブジェクトが選択された場合には、選択中の第２オブジェクトを第１の表示態様とは異なる第２の表示態様でフォーカス表示する動作が行われる。
【００３０】
第１オブジェクトとは、予め割り当てられた機能を１タッチ操作によって選択させるオブジェクトのことであり、第２オブジェクトとは、予め割り当てられた機能を２タッチ操作によって選択させるオブジェクトのことである。具体的には、第１オブジェクトが、１つの機能だけが割り当てられたオブジェクトであるのに対して、第２オブジェクトは、２以上の機能が割り当てられたオブジェクトとなっている。
【００３１】
第１の表示態様は、非フォーカス状態のオブジェクトとは異なる表示態様である。例えば、第１の表示態様でフォーカス表示されたオブジェクトは、非フォーカス状態のオブジェクトとは、文字列の背景色、オブジェクトの大きさ、形状、オブジェクトの表示色、文字サイズ、フォント、文字色などが異なっている。
【００３２】
第１オブジェクト及び第２オブジェクト間でフォーカス時の表示態様を異ならせることにより、ユーザは、タッチ操作したオブジェクトが第１オブジェクトであるのか、或いは、第２オブジェクトであるのかをフォーカスの表示態様によって識別することができる。
【００３３】
このフォーカス表示部１３では、フォーカス表示中の第２オブジェクトに対するタッチ操作の操作開始の検出結果に基づいて、フォーカス表示を第１の表示態様に切り替える動作が行われる。すなわち、フォーカス表示中の第２オブジェクトに対して行われたタッチ操作の操作開始が検出されれば、当該第２オブジェクトを第２の表示態様から第１の表示態様に切り替えてフォーカス表示する動作が行われる。
【００３４】
ここでは、メニュー画面内に配列されるオブジェクトが、第１オブジェクト又は第２オブジェクトのいずれか一方だけであり、タッチ操作前にいずれかのオブジェクト、例えば、先頭のオブジェクトがデフォルトで選択され、第１オブジェクトであるか、或いは、第２オブジェクトであるかに応じたフォーカス表示が行われているものとする。この様に構成することにより、ユーザは、タッチ操作しようとするオブジェクトが第１オブジェクトであるのか、或いは、第２オブジェクトであるのかをフォーカス表示されているオブジェクトの表示態様によって識別することができる。
【００３５】
機能選択部１６は、タッチパネル１１による操作終了の検出結果に基づいて、フォーカス表示されたオブジェクトに割り当てられている機能を選択する動作を行っている。具体的には、第１オブジェクトがフォーカス表示されている場合に、操作終了の検出結果に基づいてフォーカス表示中の第１オブジェクトに割り当てられている機能を選択する動作が行われる。一方、第２オブジェクトがフォーカス表示されている場合には、フォーカス表示中の第２オブジェクトに対するタッチ操作の操作終了の検出結果に基づいて、当該第２オブジェクトに割り当てられている機能を選択する動作が行われる。
【００３６】
メイン機能実行部１７は、機能選択部１６によって選択された機能を実行し、フォーカス表示中のオブジェクトに予め関連付けられた画面に操作対象を切り替える動作を行っている。例えば、メイン機能及びサブ機能が割り当てられた第２オブジェクトがフォーカス表示されている場合、フォーカス表示中の第２オブジェクトに対するタッチ操作の操作終了が検出されれば、当該第２オブジェクトに割り当てられているメイン機能が実行され、操作対象が切り替えられる。
【００３７】
サブ機能実行部２０は、第２オブジェクトに割り当てられたメイン機能及びサブ機能のうち、サブ機能を実行する動作を行っている。具体的には、第２オブジェクトがフォーカス表示されている場合に、実行キーの操作に基づいて、フォーカス表示中の第２オブジェクトに割り当てられているサブ機能を実行する動作が行われる。ここでいう実行キーとしては、表示面内に表示されるソフトキー、操作パネル３ａ上のガイドキーなどが考えられる。
【００３８】
サブ機能の実行によって、例えば、フォーカス表示中の第２オブジェクトに関連付けられているオプションメニュー画面が表示され、或いは、データフォルダの削除が行われる。
【００３９】
操作位置移動検出部１８は、タッチ操作中におけるタッチ操作位置の移動を検出する動作を行っている。具体的には、単位時間当たりの移動量及び移動方向が検出される。画面スクロール部１９は、操作位置移動検出部１８によるタッチ操作位置の移動の検出結果に基づいて、メニュー画面をスクロールさせる動作を行っている。ここでは、タッチ操作位置の移動量及び移動方向に応じて、メニュー画面が上方向又は下方向にスクロールされる。つまり、表示面を指でなぞることによって、メニュー画面をスクロールさせることができる。
【００４０】
フォーカス表示中の第２オブジェクトに対して行われたタッチ操作中にメニュー画面がスクロールされた場合、フォーカス表示部１３では、フォーカス表示を第３の表示態様に切り替える動作が行われ、機能選択部１６では、当該タッチ操作を無視する動作が行われる。
【００４１】
これにより、フォーカス表示中の第２オブジェクトに対するタッチ操作中にタッチ操作位置を移動させた際、選択中の第２オブジェクトのフォーカス表示が第３の表示態様に切り替えられるので、ユーザは、第２オブジェクトに割り当てられている機能がタッチ操作の終了によっては選択されないことを認識することができる。
【００４２】
ここで、第３の表示態様としては、第１の表示態様以外の表示態様、例えば、非フォーカス時の表示態様や第２の表示態様が考えられる。すなわち、タッチ操作中におけるメニュー画面のスクロールによってオブジェクトの選択状態が解除されるケースでは、フォーカス表示を非フォーカス時の表示態様に切り替えるのが望ましい。一方、タッチ操作中にメニュー画面がスクロールされた場合、当該タッチ操作の操作終了は無視されるが、オブジェクトの選択状態は維持されるケースでは、フォーカス表示を第２の表示態様に切り替えるのが望ましい。
【００４３】
図３（ａ）及び（ｂ）は、図１の携帯電話機１におけるオブジェクト操作時の動作の一例を示した状態遷移図であり、図３（ａ）には、第１オブジェクトに対するタッチ操作の場合が示され、図３（ｂ）には、第２オブジェクトに対するタッチ操作の場合が示されている。ここでは、タッチパネル１１に指を近づけて当接するまでをタッチダウン（ＴＤ）操作、タッチパネル１１に指が接触している状態から指を遠ざけることをタッチアップ（ＴＵ）操作と呼ぶことにする。
【００４４】
第１オブジェクトの場合、ＴＤ操作によって非フォーカス状態Ａ１から第１の表示態様によるフォーカス状態Ａ２に遷移する。そして、その後のＴＵ操作によって、当該第１オブジェクトに割り当てられている機能の選択状態Ａ３に遷移する。
【００４５】
ＴＤ操作前に第１の表示態様でフォーカス表示されている第１オブジェクトは、他のオブジェクトをタッチ操作することによって非フォーカス状態Ａ１に復帰する。
【００４６】
第２オブジェクトの場合には、１回目のＴＤ操作によって非フォーカス状態Ｂ１から第２の表示態様によるフォーカス状態Ｂ２に遷移する。フォーカス表示中の第２オブジェクトに対するＴＤ操作、すなわち、１回目のＴＤ操作後に他のオブジェクトをタッチ操作することなく行われた２回目のＴＤ操作によって、第１の表示態様によるフォーカス状態Ｂ３に遷移する。そして、その後のＴＵ操作によって当該第２オブジェクトに割り当てられている機能の選択状態Ｂ４に遷移する。
【００４７】
第２の表示態様でフォーカス表示されている第２オブジェクトは、他のオブジェクトをタッチ操作することによって非フォーカス状態Ｂ１に復帰する。また、第１の表示態様でフォーカス表示されている第２オブジェクトは、メニュー画面のスクロールによってフォーカス状態Ｂ２に遷移する。
【００４８】
図４（ａ）及び（ｂ）は、図１の携帯電話機１におけるメニュー画面操作時の動作の一例を示した遷移図であり、図４（ａ）には、複数の第１オブジェクトが配列されたメニュー画面が示され、図４（ｂ）には、ＴＤ操作後の様子が示されている。
【００４９】
このメニュー画面は、端末の各種機能を設定するための選択画面であり、複数の第１オブジェクト、すなわち、予め割り当てられた機能を１タッチ操作によって選択させるオブジェクトが配列される。
【００５０】
ここでは、割り当てられている機能が文字列によって示された５つのオブジェクト「マナーモード設定」、「ディスプレイ設定」、「きせかえ設定」、「音・バイブ・ライト設定」及び「日時設定」が配列されている。
【００５１】
この例では、オブジェクト「ディスプレイ設定」が既に選択されており、第１の表示態様Ｃ２でフォーカス表示されている。すなわち、選択中のオブジェクト「ディスプレイ設定」は、非フォーカス状態のオブジェクトの表示態様Ｃ１とは異なる表示態様で表示されている。具体的には、非フォーカス状態のオブジェクトが、黒色の背景上に白色で文字列が表示されているのに対して、選択状態にあるオブジェクト「ディスプレイ設定」は、青色の背景上に白色で文字列が表示されている。
【００５２】
オブジェクト「ディスプレイ設定」が選択されている状態で他のオブジェクト、例えば、オブジェクト「きせかえ設定」をＴＤ操作すれば、当該オブジェクトにフォーカスが移動する。すなわち、オブジェクト「きせかえ設定」が、非フォーカス状態から第１の表示態様Ｃ２によるフォーカス状態に遷移するとともに、オブジェクト「ディスプレイ設定」が、非フォーカス状態に遷移する。
【００５３】
オブジェクト「きせかえ設定」が選択されている状態でＴＵ操作すれば、当該オブジェクトに割り当てられているメイン機能が選択実行され、操作対象が新たに表示される画面に切り替えられる。
【００５４】
図５（ａ）〜（ｄ）は、図１の携帯電話機１におけるメニュー画面操作時の動作の一例を示した遷移図である。図５（ａ）には、複数の第２オブジェクトが配列されたメニュー画面が示され、図５（ｂ）には、ＴＤ操作後の様子が示されている。また、図５（ｃ）には、図５（ｂ）の状態からＴＵ操作した後の様子が示され、図５（ｄ）には、同じオブジェクトを再度ＴＤ操作した後の様子が示されている。
【００５５】
このメニュー画面は、電子メールなどの受信フォルダの選択画面であり、複数の第２オブジェクト、すなわち、予め割り当てられた機能を２タッチ操作によって選択させるオブジェクトが配列される。
【００５６】
ここでは、フォルダ名が文字列によって示された４つのオブジェクト「フォルダ１」〜「フォルダ４」が配列されている。
【００５７】
この例では、オブジェクト「フォルダ１」が既に選択されており、第２の表示態様Ｃ３でフォーカス表示されている。すなわち、選択中のオブジェクト「フォルダ１」は、非フォーカス状態のオブジェクトの表示態様Ｃ１とは異なる表示態様で表示されている。具体的には、非フォーカス状態のオブジェクトが、黒色の背景上に白色で文字列が表示されているのに対して、選択状態にあるオブジェクト「フォルダ１」は、緑色の背景上に白色で文字列が表示されている。
【００５８】
オブジェクト「フォルダ１」が選択されている状態で他のオブジェクト、例えば、オブジェクト「フォルダ３」をＴＤ操作すれば、当該オブジェクトにフォーカスが移動する。すなわち、オブジェクト「フォルダ３」が、非フォーカス状態から第２の表示態様Ｃ３によるフォーカス状態に遷移するとともに、オブジェクト「フォルダ１」が、非フォーカス状態に遷移する。
【００５９】
オブジェクト「フォルダ３」が選択され、第２の表示態様Ｃ３でフォーカス表示されている状態でＴＵ操作しても、当該オブジェクトの選択状態が保持される。
【００６０】
オブジェクト「フォルダ３」が選択され、第２の表示態様Ｃ３でフォーカス表示されている状態でフォーカス表示中のオブジェクトを再度ＴＤ操作すれば、フォーカス表示が第１の表示態様Ｃ２に切り替えられる。
【００６１】
オブジェクト「フォルダ３」が選択され、第１の表示態様Ｃ２でフォーカス表示されている状態でＴＵ操作すれば、当該オブジェクトに割り当てられているメイン機能が選択実行され、操作対象が新たに表示される画面に切り替えられる。
【００６２】
一方、オブジェクト「フォルダ３」が選択され、第２の表示態様Ｃ３でフォーカス表示されている状態において、表示面２ａに表示されている実行キー「メニュー」をタッチ操作すれば、当該オブジェクトに割り当てられているサブ機能が選択実行され、オプションメニュー画面を表示することができる。
【００６３】
図６（ａ）及び（ｂ）は、図１の携帯電話機１におけるメニュー画面操作時の動作の一例を示した遷移図であり、図６（ａ）には、ＴＤ操作によってオブジェクトのフォーカス表示が第１の表示態様Ｃ２に切り替えられたメニュー画面が示され、図６（ｂ）には、ＴＤ操作後にメニュー画面のスクロールが行われた場合が示されている。
【００６４】
オブジェクト「フォルダ３」が選択され、第１の表示態様Ｃ２でフォーカス表示されている状態で、指を表示面に接触させたまま移動させることにとって、メニュー画面がスクロールされる。この例では、指を上方向にスライドさせることによって、メニュー画面が上方向にスクロールされ、メニュー画面の最上段にフォーカス表示中のオブジェクト「フォルダ３」が移動している。
【００６５】
タッチ操作中の指の移動によるメニュー画面のスクロールは、オブジェクトの選択状態を変更することなく行われる。ＴＤ操作後にメニュー画面のスクロールが行われると、オブジェクト「フォルダ３」の表示態様が第２の表示態様Ｃ３に切り替えられ、ＴＵ操作しても当該オブジェクトの選択状態が保持される。
【００６６】
図７及び図８のステップＳ１０１〜Ｓ１１３は、図１の携帯電話機１の動作の一例を示したフローチャートである。まず、オブジェクト選択部１２は、タッチパネル１１によってタッチ操作が検出されると、当該タッチ操作の操作開始の検出結果に基づいて、メニュー画面内のオブジェクトを選択する（ステップＳ１０１，Ｓ１０２）。
【００６７】
このとき、フォーカス表示部１３は、選択されたオブジェクトが第１オブジェクトであれば、第１の表示態様でフォーカス表示する（ステップＳ１０３，Ｓ１０４）。次に、機能選択部１６は、タッチ操作が終了すると、当該タッチ操作の操作終了の検出結果に基づいて、フォーカス表示中のオブジェクトに割り当てられている機能を選択する（ステップＳ１０５，Ｓ１０６）。
【００６８】
一方、フォーカス表示部１３は、選択されたオブジェクトが第２オブジェクトであれば、第２の表示態様でフォーカス表示する（ステップＳ１０３，Ｓ１０７）。その後、フォーカス表示中のオブジェクト以外のオブジェクトに対するタッチ操作が検出された場合（ステップＳ１０８，Ｓ１０９）、ステップＳ１０２以降の処理手順が繰り返される。
【００６９】
これに対し、フォーカス表示部１３は、フォーカス表示中のオブジェクトに対するタッチ操作が検出されると、当該タッチ操作の操作開始の検出結果に基づいて、フォーカスの表示態様を第１の表示態様に切り替える（ステップＳ１１０）。
【００７０】
次に、機能選択部１６は、タッチ操作が終了すると、当該タッチ操作の操作終了の検出結果に基づいて、フォーカス表示中のオブジェクトに割り当てられている機能を選択する（ステップＳ１１１，Ｓ１１２）。
【００７１】
一方、フォーカス表示部１３は、タッチ操作中にメニュー画面がスクロールされると、フォーカスの表示態様を第２の表示態様に切り替えて選択中のオブジェクトをフォーカス表示し（ステップＳ１１１，Ｓ１１３，Ｓ１０７）、ステップＳ１０８以降の処理手順が繰り返される。
【００７２】
本実施の形態によれば、選択されたオブジェクトが第１オブジェクトであるか、或いは、第２オブジェクトであるかに応じて表示態様を異ならせてフォーカス表示されるので、選択中のオブジェクトが予め割り当てられた機能を１タッチ操作によって選択させるオブジェクトであるのか、或いは、２タッチ操作によって選択させるオブジェクトであるのかを識別し易くすることができる。また、フォーカス表示中の第２オブジェクトに対するタッチ操作の操作開始の検出結果に基づいてフォーカス表示が第１の表示態様に切り替えられるので、ユーザは、タッチ操作の終了によって第２オブジェクトに割り当てられている機能が選択されることを認識することができる。
【００７３】
実施の形態２．
実施の形態１では、第２オブジェクトが新たに選択されると、当該第２オブジェクトが第２の表示態様でフォーカス表示される場合の例について説明した。これに対して、本実施の形態では、第２オブジェクトが新たに選択されると、選択中の第２オブジェクトをタッチ操作の開始から一定時間が経過するまでは第１の表示態様でフォーカス表示し、一定時間が経過すると、フォーカス表示を第２の表示態様に切り替える場合について説明する。
【００７４】
具体的には、フォーカス表示部１３が、選択中の第２オブジェクトを１回目のタッチ操作の開始から一定時間が経過するまで第１の表示態様でフォーカス表示し、一定時間が経過した場合にフォーカス表示を第２の表示態様に切り替える。また、機能選択部１６は、上記一定時間が経過する前に１回目のタッチ操作の操作終了が検出された場合に、当該操作終了の検出結果に基づいてフォーカス表示中の第２オブジェクトに割り当てられているメイン機能を選択する。つまり、１回目のタッチ操作によって第２オブジェクトが第１の表示態様でフォーカス表示されている期間内に限り、当該タッチ操作の操作終了によってフォーカス表示中の第２オブジェクトに割り当てられているメイン機能を選択実行することができる。
【００７５】
図９（ａ）〜（ｃ）は、本発明の実施の形態２による携帯情報端末におけるメニュー画面操作時の動作の一例を示した遷移図である。図９（ａ）には、複数の第２オブジェクトが配列されたメニュー画面が示され、図９（ｂ）には、ＴＤ操作後の様子が示されている。また、図９（ｃ）には、図９（ｂ）から一定時間が経過した後の様子が示されている。
【００７６】
オブジェクト「フォルダ１」が選択されている状態で他のオブジェクト、例えば、オブジェクト「フォルダ３」をＴＤ操作すれば、当該オブジェクトにフォーカスが移動し、オブジェクト「フォルダ３」が第１の表示態様Ｃ２でフォーカス表示される。
【００７７】
オブジェクト「フォルダ３」が選択されて、第１の表示態様Ｃ２でフォーカス表示されている状態が一定時間継続すると、フォーカスの表示態様が第２の表示態様Ｃ３に切り替えられる。
【００７８】
一方、第２オブジェクトが第１の表示態様でフォーカス表示されている期間内に、ＴＵ操作すれば、フォーカス表示中の第２オブジェクトに割り当てられているメイン機能が選択実行される。
【００７９】
本実施の形態によれば、ユーザは、第２オブジェクトに対する１回目のタッチ操作時に、操作終了によって第２オブジェクトに割り当てられている機能の選択可能な期間をフォーカス表示の表示態様によって認識することができる。
【００８０】
なお、実施の形態１及び２では、タッチ操作前にいずれかのオブジェクトがデフォルトで選択され、第１オブジェクトであるか、或いは、第２オブジェクトであるかに応じたフォーカス表示が行われている場合の例について説明したが、本発明はこれに限られるものではない。タッチ操作前にデフォルトで選択されているオブジェクトの表示態様がタッチ操作によって選択されたオブジェクトの表示態様とは異なるものも本発明には含まれる。
【００８１】
また、実施の形態１及び２では、フォーカス表示中の第２オブジェクトに対するタッチ操作の操作開始の検出結果に基づいてフォーカス表示が第２の表示態様から第１の表示態様に切り替えられる場合の例について説明したが、本発明はこれに限られるものではない。フォーカス表示中の第２オブジェクトに対してタッチ操作が行われた場合であっても、フォーカスの表示態様を切り替えないものも本発明には含まれる。
【００８２】
また、実施の形態１及び２では、タッチ操作の検出手段として静電容量式のタッチパネル１１が用いられる場合の例について説明したが、本発明はこれに限られるものではなく、タッチ操作が検出できるものであれば他のものであっても良い。例えば、圧力の変化を感知する感圧式センサーをタッチ操作の検出に用いるものであっても良い。
【００８３】
また、実施の形態１及び２では、選択状態にあるオブジェクトのフォーカス表示を第１オブジェクト及び第２オブジェクト間で異ならせる場合の例について説明したが、本発明はこれに限られるものではない。例えば、オブジェクトが選択されたことを音又は振動で報知する際に、第１オブジェクト及び第２オブジェクト間で異なる音又は振動で報知するようなものであっても良い。
【００８４】
図１０は、本発明のその他の実施の形態による携帯情報端末の一構成例を示したブロック図である。この携帯情報端末３０は、図２の携帯電話機１と比較すれば、報知部３１、スピーカ３２及びバイブレータ３３を備えている点で異なる。報知部３１は、オブジェクト選択部１２による選択結果に基づいてスピーカ３２及びバイブレータ３３を制御し、オブジェクトが選択されたことを音又は振動で報知する動作を行っている。
【００８５】
この報知部３１では、第２オブジェクトが選択された場合に、第１オブジェクトとは異なる音又は振動で報知する動作が行われる。具体的には、第１オブジェクトが選択された場合には、第１の報知態様で報知し、第２オブジェクトが選択された場合には、第１の報知態様とは異なる報知態様、例えば、音の音色や強度を異ならせ、或いは、振動のパターンを異ならせて報知する動作が行われる。
【００８６】
第１オブジェクト及び第２オブジェクト間で選択時の報知態様を異ならせることにより、ユーザは、タッチ操作したオブジェクトが第１オブジェクトであるのか、或いは、第２オブジェクトであるのかを報知態様によって識別することができる。
【００８７】
また、報知部３１では、フォーカス表示中の第２オブジェクトに対するタッチ操作の操作開始の検出結果に基づいて、音又は振動による報知態様を切り替える動作が行われる。例えば、選択状態にある第２オブジェクトに対して行われたタッチ操作の操作開始が検出されれば、第２の報知態様から第１の報知態様に切り替える動作が行われる。これにより、選択中の第２オブジェクトに対するタッチ操作の操作開始の検出結果に基づいて音又は振動による報知態様が切り替えられるので、ユーザは、第１オブジェクトと同様に、タッチ操作の終了によって第２オブジェクトに割り当てられている機能が選択されることを認識することができる。
【００８８】
なお、バイブレータ３３としては、ＬＣＤ１５に触ったことを振動で知らせるフォースフィードバック装置を用いても良い。
【図面の簡単な説明】
【００８９】
【図１】本発明の実施の形態１による携帯情報端末の概略構成の一例を示した図であり、携帯情報端末の一例としてスライド式の携帯電話機１が示されている。
【図２】図１の携帯電話機１の構成例を示したブロック図であり、携帯電話機１内の機能構成の一例が示されている。
【図３】図１の携帯電話機１におけるオブジェクト操作時の動作の一例を示した状態遷移図であり、第１オブジェクト及び第２オブジェクトの状態遷移の様子が示されている。
【図４】図１の携帯電話機１におけるメニュー画面操作時の動作の一例を示した遷移図であり、第１オブジェクトに対するタッチ操作の一例が示されている。
【図５】図１の携帯電話機１におけるメニュー画面操作時の動作の一例を示した遷移図であり、第２オブジェクトに対するタッチ操作の一例が示されている。
【図６】図１の携帯電話機１におけるメニュー画面操作時の動作の一例を示した遷移図であり、タッチ操作中にメニュー画面がスクロールされた場合の様子が示されている。
【図７】図１の携帯電話機１の動作の一例を示したフローチャートであり、第１オブジェクトのタッチ操作時の動作例が示されている。
【図８】図１の携帯電話機１の動作の一例を示したフローチャートであり、第２オブジェクトのタッチ操作時の動作例が示されている。
【図９】本発明の実施の形態２による携帯情報端末におけるメニュー画面操作時の動作の一例を示した遷移図である。
【図１０】本発明のその他の実施の形態による携帯情報端末の一構成例を示したブロック図である。
【符号の説明】
【００９０】
１  携帯電話機
２  表示筐体
２ａ  表示面
３  操作筐体
３ａ  操作パネル
１１  タッチパネル
１２  オブジェクト選択部
１３  フォーカス表示部
１４  メニュー画面表示部
１５  ＬＣＤ
１６  機能選択部
１７  メイン機能実行部
１８  操作位置移動検出部
１９  画面スクロール部
２０  サブ機能実行部
３０  携帯情報端末
３１  報知部
３２  スピーカ
３３  バイブレータ
Ｃ１  非フォーカス状態の表示態様
Ｃ２  第１の表示態様
Ｃ３  第２の表示態様
【図１】
2010102607.tif 000003
【図２】
2010102607.tif 000004
【図３】
2010102607.tif 000005
【図４】
2010102607.tif 000006
【図５】
2010102607.tif 000007
【図６】
2010102607.tif 000008
【図７】
2010102607.tif 000009
【図８】
2010102607.tif 000010
【図９】
2010102607.tif 000011
【図１０】
2010102607.tif 000012